(57)【要約】【課題】車両用表示装置に表示される情報の設定項目を設定モードにて変更する際、利用者にその設定モードでの動作、又は、操作方法を直感的に把握させることができる車両用表示装置を提供する。【解決手段】表示部６と、入力部１１からの入力信号に基づき、予め設定された設定項目４１、４２、４３に従い、情報４０を表示部６に表示する通常モードから利用者の好みに合うよう表示部６に表示される設定項目４１、４２、４３を変更できる設定モードに切り替え、該設定モードにて設定項目４１、４２、４３を変更する制御部２０とを有し、制御部２０は、設定項目４１、４２、４３を変更する場面にて入力部１１からの入力信号を受信していない状態が所定時間続いたと判断すると、設定項目４１から他の設定項目４２へ自動的に切り替える制御を行うとともに、他の設定項目４２へ自動的に切り替えるまでの時間に関連する表示４４を表示部６に表示する。【選択図】図６
2008094356.tif 000002
【特許請求の範囲】
【請求項１】
表示部と、
入力部からの入力信号に基づき、予め設定された情報の設定項目に従い、その情報を前記表示部に表示する通常モードから、利用者の好みに合うよう前記表示部に表示される前記設定項目を変更できる設定モードに切り替え、該設定モードにて１つ以上の前記設定項目を変更する制御部とを有し、
前記制御部は、前記設定項目が１つのみである場合は、前記設定モードにて前記入力部からの入力信号を受信していない状態が所定時間続いたと判断すると、前記設定モードから前記通常モードへ自動的に切り替える制御を行うとともに、前記通常モードへ自動的に切り替えるまでの時間に関連する表示を前記表示部に表示し、
前記設定項目が複数ある場合は、前記設定項目を変更する場面にて前記入力部からの入力信号を受信していない状態が前記所定時間続いたと判断すると、前記設定項目から他の前記設定項目へ自動的に切り替える制御を行うとともに、他の前記設定項目へ自動的に切り替えるまでの時間に関連する表示を前記表示部に表示することを特徴とする車両用表示装置。
【請求項２】
前記時間に関連する表示は、バーグラフで表記されることを特徴とする請求項１に記載の車両用表示装置。
【請求項３】
前記バーグラフは、時間とともに短くなり、最終的には消滅するように表記されることを特徴とする請求項２に記載の車両用表示装置。
【請求項４】
前記時間に関連する表示は、数字で表記されることを特徴とする請求項１に記載の車両用表示装置。
【請求項５】
前記数字は、時間とともに小さくなるように表記されることを特徴とする請求項４に記載の車両用表示装置。
【発明の詳細な説明】
【技術分野】
【０００１】
本発明は、車両用表示装置に関する。
【背景技術】
【０００２】
従来、時計機能を備えた電気機器において、表示部に表示されている時刻を、スイッチ等を操作することで修正する際、前記スイッチが操作されていない時間が所定時間続いたとき、自動的に時刻修正モードから通常の時刻表示モードに切り替わる電気機器が知られている（特許文献１参照）。
【特許文献１】特開平１１−３０４９５９号公報
【発明の開示】
【発明が解決しようとする課題】
【０００３】
上記電気機器は、時刻修正モードから通常の時刻表示モードへ切り替わるまでのタイミングが何ら電気機器の表示部には表示されていないので、この電気機器を利用する利用者は、表示部からでは、いつ通常の時刻表示モードへ切り替わるのか、又は、どのようにしたら通常の時刻表示モードへ切り替わるのかが直感的に把握できなかった。
【０００４】
本発明は、このような従来技術の問題点に鑑みてなされたものであり、その目的は、車両用表示装置に表示される情報の設定項目を設定モードにて変更する際、利用者にその設定モードでの動作、又は、操作方法を直感的に把握させることができる車両用表示装置を提供することである。
【課題を解決するための手段】
【０００５】
上記目的を達成するために、請求項１に記載の発明によれば、
表示部と、入力部からの入力信号に基づき、予め設定された情報の設定項目に従い、その情報を表示部に表示する通常モードから利用者の好みに合うよう表示部に表示される設定項目を変更できる設定モードに切り替え、該設定モードにて１つ以上の設定項目を設定する制御部とを有し、
制御部は、設定項目が１つのみである場合は、設定モードにて入力部からの入力信号を受信していない状態が所定時間続いたと判断すると、設定モードから通常モードへ自動的に切り替える制御を行うとともに、通常モードへ自動的に切り替えるまでの時間に関連する表示を表示部に表示し、
設定項目が複数ある場合は、設定項目を変更する場面にて入力部からの入力信号を受信していない状態が所定時間続いたと判断すると、設定項目から他の設定項目へ自動的に切り替える制御を行うとともに、他の設定項目へ自動的に切り替えるまでの時間に関連する表示を表示部に表示することを特徴としている。
【０００６】
この構成によれば、設定モードにて通常モードで表示していた情報の設定項目を変更する際、制御部は、入力部からの入力信号を受信していない状態が所定時間続いたと判断すると、設定モードから通常モードへ、又は、設定項目から他の設定項目へ自動的に切り替える制御を行うとともに、通常モードへ、又は、他の設定項目へ自動的に切り替えるまでの時間に関連する表示を表示部に表示する。自動的に切り替えるまでの時間に関連する表示が表示部に表示されるので、利用者に情報の設定モードでの動作、又は操作方法が容易にかつ、直感的に把握させることができる。すなわち、利用者は、いつ、どのようにしたら設定モードから通常モードに戻るのか、又は、いつ、どのようにしたら他の設定項目に切り替わるのかを容易かつ、直感的に把握することができる。
【０００７】
請求項２に記載の発明によれば、時間に関連する表示は、バーグラフで表記されることを特徴としている。この構成によれば、上記時間に関連する表示がバーグラフにて表記されているので、利用者は、更に、情報の設定モード中の動作、又は操作方法を容易かつ、直感的に把握することができる。
【０００８】
請求項３に記載の発明によれば、バーグラフは、時間とともに短くなり、最終的には消滅するように表記されることを特徴としている。この構成によれば、バーグラフが時間とともに短くなり、最終的には消滅するように表記されているので、通常モードへ、又は、他の設定項目へ自動的に切り替わるまでの目盛を別に表示部に表示する必要が無い。
【０００９】
請求項４に記載の発明によれば、時間に関連する表示は、数字で表記されることを特徴としている。この構成によれば、上記時間に関連する表示が数字にて表記されているので、利用者は、通常モードへ、又は、他の設定項目へ自動的に切り替わる時期を精確に把握することができる。
【００１０】
請求項５に記載の発明によれば、数字が時間とともに小さくなるように表記されることを特徴としている。この構成よれば、利用者は、通常モードへ、又は、他の設定項目へ自動的に切り替わる時期を容易かつ、直感的に把握することができる。
【発明を実施するための最良の形態】
【００１１】
以下、本発明による車両用表示装置を車両に搭載されるコンビネーションメータに組み込んだ場合を図１および図２に基づいて説明する。
【００１２】
図１は、コンビネーションメータ１の正面図である。このメータ１には、車両の走行速度を表示する速度計２、エンジンの回転速度を表示する回転計３、車両の異常を表示する警告灯４、および方向指示器の動作状態を示す方向指示表示５が設けられている。そして、速度計２の中央部には、車両を運転する利用者にとって必要な情報（時計、日付、瞬間燃費、平均燃費、航続可能距離、平均車速、走行距離など）を表示する第１ディスプレイ６（請求項に記載の表示部に相当）が設けられている。また、回転計３の中央部には、燃料計８、水温計９、シフトレバーポジションインジケータ１０を表示する第２ディスプレイ７が設けられている。
【００１３】
第１ディスプレイ６は、図１に示すように、上述の情報を２段に分けて表示している。具体的には、上段には、時計、日付、瞬間燃費、平均燃費、航続可能距離、平均車速、走行時間が表示され、下段には、オドメータ、トリップメータが表示される。
【００１４】
上述の情報は、回転計３の周囲に設けられたディスプレイスイッチ１１（請求項に記載の入力部に相当）や速度計２の周囲に設けられたオド／トリップスイッチ１２によって操作される。具体的には、ディスプレイスイッチ１１を操作することにより、第１ディスプレイ６の上段に表示される情報を切り替えたり、情報の設定項目（例えば、情報が日付であれば、「年」桁・「月」桁・「日」桁であり、時計であれば、「時」桁・「分」桁である。）を変更したりする。そして、オド／トリップスイッチ１２を操作することにより、オドメータ、トリップメータを切り替えたり、トリップメータをリセットしたりする。
【００１５】
図２は、本実施形態における車両用表示装置のシステム構成図である。この表示装置は、ディスプレイスイッチ１１と、第１ディスプレイ６の上段に表示される情報の表示を制御するメータＥＣＵ２０（請求項に記載の制御部に相当）と、第１ディスプレイ６を有している。なお、このメータＥＣＵ２０は、情報の表示制御を行うとともに、第２ディスプレイ７の情報の表示制御、速度計２や回転計３の指針を駆動するモータ制御、文字板上の文字、数字、目盛等を発光表示させるＬＥＤ制御を行うＥＣＵでもある。
【００１６】
また、図７に示すように、ディスプレイスイッチ１１が車載ネットワーク上に接続されている場合は、ディスプレイスイッチ１１とメータＥＣＵ２０との間に、ディスプレイスイッチ１１が操作されたことを識別するセンサＥＣＵ３０を設けてもよい。
【００１７】
ディスプレイスイッチ１１は、第１ディスプレイ６の上段に表示された情報を切り替えたり、その情報の設定項目を変更したりするときに使用するものである。ディスプレイスイッチ１１が操作されることにより発生する入力信号は、メータＥＣＵ２０に送信される。ディスプレイスイッチ１１を操作することによる第１ディスプレイ６上の動作は、後ほど詳細に説明する。
【００１８】
メータＥＣＵ２０は、上述の情報の表示を制御するＥＣＵであって、ディスプレイスイッチ１１からの入力信号を受信する入力ポート、各種演算処理を行うＣＰＵ（中央演算装置）、ＣＰＵが演算途中のデータなどを記憶するために使用するＲＡＭ（Ｒａｎｄｏｍ  Ａｃｃｅｓｓ  Ｍｅｍｏｒｙ）、ＣＰＵが実行するプログラム、テーブル、マップなどを記憶するＲＯＭ（Ｒｅａｄ  Ｏｎｌｙ  Ｍｅｍｏｒｙ）、および、ＣＰＵにて演算した情報を第１ディスプレイ６にそれぞれ出力する出力回路を備えている。
【００１９】
第１ディスプレイ６は、メータＥＣＵ２０からの上述の情報に応じた出力信号を受信し、その出力信号に基づき第１ディスプレイ６に情報を表示する。なお、第１、第２ディスプレイ６、７は、例えば、セグメント式ＬＣＤや、ドットマトリクス式ＬＣＤや、ＴＦＴ式ＬＣＤなど表示したい情報が表示できればどのような形式のＬＣＤであってもよい。また、第１、第２ディスプレイ６、７は、ＬＣＤに限らずＣＲＴでもよい。
【００２０】
次に、第１ディスプレイ６の上段に表示されている情報の切り替え、およびその情報の設定項目を変更するときの動作を図３から図６に基づいて詳細説明する。本実施形態では、請求項に記載の情報として日付を用いて説明し、請求項に記載の情報の設定項目として、「年」桁・「月」桁・「日」桁を用いて説明する。
【００２１】
図３は、第１ディスプレイ６の上段に表示される情報の切り替わりを示す状態遷移図である。図１および図３に示すように、第１ディスプレイ６には、複数の情報が１つの画面に表示されるのではなく、ディスプレイスイッチ１１を操作することにより、複数の情報の中から利用者が欲しいを思う情報のみを表示する。なお、図３に示す状態遷移図は、予め設定された設定項目に従い情報を第１ディスプレイ６に表示する通常モードに相当する。
【００２２】
図４は、第１ディスプレイ６の上段に表示される情報の設定項目を変更するときの状態の移り変わりを示す状態遷移図である。本実施形態では、日付の「年」桁・「月」桁・「日」桁を変更するときの状態の移り変わりについて説明する。なお、図４に示す状態遷移図は、利用者の好みに合うように第１ディスプレイ６に表示される情報（日付）の設定項目（「年」桁・「月」桁・「日」桁）を変更できる設定モードを有している。
【００２３】
図３に示すように、第１ディスプレイ６には、８つの情報が表示される。具体的には、「外気温／時計」表示状態、「日付／時計」表示状態、「瞬間燃費」表示状態、「平均燃費」表示状態、「航続可能距離」表示状態、「平均車速」表示状態、「走行時間」表示状態、および時計や日付の設定項目の変更を行うための「設定案内」表示状態である。「設定案内」表示状態については後ほど詳細に説明する。
【００２４】
上述の表示状態は、ディスプレイスイッチ１１（図面上では、ＤＳＷと省略して記載する）を短押し（比較的短い時間でスイッチを操作すること）することにより切り替わる。
【００２５】
例えば、情報の一つである日付の設定項目（「年」桁・「月」桁・「日」桁）を変更しようとするときは、ディスプレイスイッチ１１を短押しし、「設定案内」表示状態まで切り替える。そして、この状態でディスプレイスイッチ１１を長押し（短押しに比べ比較的長い時間スイッチを押し続けること）することにより、図４の「時計設定」表示状態へ切り替わる。
【００２６】
そして、利用者は、どの情報の設定項目を変更すべきかを選択する。具体的には、利用者は、ディスプレイスイッチ１１を短押しすることにより、「時計設定」表示状態、「日付設定」表示状態、「戻る」表示状態を切り替え、設定項目を変更した情報の表示状態となったらディスプレイスイッチ１１の操作を止める。本実施形態では、「日付設定」表示状態が第１ディスプレイ６に表示されたら、ディスプレイスイッチ１１の操作を止める。そして、この表示状態で、更に、ディスプレイスイッチ１１を長押しすることにより、「年」桁・「月」桁・「日」桁を変更できる状態に切り替わる。この「日付設定」表示状態までが、請求項の通常モードに相当し、以下説明する「「年」桁設定」表示状態以降が、請求項の設定モードに相当する。
【００２７】
なお、図４に示すように「戻る」表示状態まで、ディスプレイスイッチ１１を短押しして、この状態で、ディスプレイスイッチ１１を長押しすると、図３の「外気温／時計」表示状態に戻すことができる。
【００２８】
「日付設定」表示状態でディスプレイスイッチ１１を長押しすると、表示状態が「「年」桁設定」表示状態に切り替わる。このときの、第１ディスプレイ６の表示は、図５に示すように、「年」桁４１の部分がハイライト表示となる。「月」桁４２、「日」桁４３の部分は、通常モードでの表示と同じである。このハイライト表示となることにより、利用者は、「年」桁４１が変更可能であることを把握することができる。この表示状態で、ディスプレイスイッチ１１が短押しされると、その度に、「年」桁４１が繰り上がる（ｙｙ＝ｙｙ＋１）。
【００２９】
日付４０表示の下には、他の設定項目（「月」桁４２）を変更する状態へ切り替わるまでの時間を示すバーグラフ４４が表示される。このバーグラフ４４が請求項に記載の時間に関連する表示に相当する。このバーグラフ４４はディスプレイスイッチ１１が操作されていない状態となったら時間とともに短くなるものであって、バーグラフ４４が短くなり最終的に消滅すると「「月」桁設定」表示状態へ切り替わる。本実施形態では、ディスプレイスイッチ１１の無操作が５秒続くと、「「月」桁設定」表示状態に切り替わる。表示状態が切り替わると、バーグラフ４４は再びもとの長さに戻る。なお、バーグラフ４４の長さは、表示状態が切り替わる前にディスプレイスイッチ１１を押しても、もとの長さに戻るようになっている。
【００３０】
図６（ａ）から（ｅ）は、図５に示す「「年」桁設定」表示状態から「「月」桁設定」表示状態において、第１ディスプレイ６に表示されたバーグラフ４４の状態が時間ともに変化する様を示したものである。
【００３１】
図６（ａ）に示すように、「「年」桁設定」表示状態に切り替わると、「年」桁４１がハイライト表示となり、バーグラフ４４が最大長さで日付４０の下に表示される。ディスプレイスイッチ１１が短押しされ、「年」桁４１の変更が完了し、利用者がディスプレイスイッチ１１の操作を止めると、メータＥＣＵ２０は、無操作時間ｔをｔ＝０からカウントし始める。
【００３２】
図６（ｂ）に示すように、無操作時間ｔがｔ＝δｍ（秒）経過すると、メータＥＣＵ２０は、バーグラフ４４が所定長さ分だけ短くなるような表示となる信号を第１ディスプレイ６に出力する。ここで、δとは、バーグラフ分解能を示し、δ（秒）経過すると、その秒数に応じた長さ分だけバーグラフ４４の長さが短くなる。なお、このδは、任意に設定可能であり、δの数値を小さくすれば、バーグラフ４４の変化は連続的に短くなるように見え、δの数値を大きくすれば、ステップ的に短くなるように見える。
【００３３】
更に、図６（ｃ）に示すように、無操作時間ｔがｔ＝δｎ（秒）経過すると、メータＥＣＵ２０は、バーグラフ４４が更に所定長さ分だけ短くなるような表示となる信号を第１ディスプレイ６に出力する。
【００３４】
このとき、利用者がディスプレイスイッチ１１を短押しすると、「年」桁４１は、１つ繰り上がり（ｙｙ＝ｙｙ＋１）、第１ディスプレイ６の表示は、図６（ａ）に戻る。すなわち、バーグラフ４４は、再び最大長さに戻り、メータＥＣＵ２０の無操作時間ｔは、ｔ＝０となる。
【００３５】
図６（ｄ）の状態で更に、ディスプレイスイッチ１１が無操作であって、無操作時間ｔがｔ＝δ（Ｔ１−１）（秒）経過すると、メータＥＣＵ２０は、バーグラフ４４が更に所定長さ分だけ短くなるような表示となる信号を第１ディスプレイ６に出力する。
【００３６】
ディスプレイスイッチ１１の無操作時間ｔが所定時間（本実施形態では、５秒）経過すると、図６（ｅ）に示すような、「月」桁４２部分がハイライト表示となり、「月」桁４２が変更可能な状態に切り替わる。このとき、バーグラフ４４は、再び最大長さに戻り、メータＥＣＵ２０の無操作時間ｔは、ｔ＝０となる。
【００３７】
「月」桁４２の変更が可能な状態となると、上述したように「月」桁４２がハイライト表示に切り替わる。「「月」桁設定」表示状態で、ディスプレイスイッチ１１が短押しされると、その度に、「月」桁４２が繰り上がる（ｍｍ＝ｍｍ＋１）。
【００３８】
この表示状態でも、ディスプレイスイッチ１１の無操作が５秒続くと、バーグラフ４４が消滅し、「「日」桁設定」表示状態に切り替わるとともに、バーグラフ４４の長さがもとの長さに戻る。この表示状態でも、「年」桁４１、「月」桁４２の変更と同様、ディスプレイスイッチ１１を短押しする度に、「日」桁４３が繰り上がる（ｄｄ＝ｄｄ＋１）。
【００３９】
バーグラフ４４の変化は、「「月」桁設定」表示状態、「「日」桁設定」表示状態でも、図６（ａ）から（ｅ）の状態の変化と同じように変わる。
【００４０】
「「日」桁設定」表示状態にて、ディスプレイスイッチ１１の無操作が５秒続くと、表示状態は、「日付設定」表示状態に切り替わる。そして、ディスプレイスイッチ１１を短押しし、「戻る」表示状態とし、更に、ディスプレイスイッチ１１を長押しすることにより、通常モードの「外気温／時計」表示状態に戻る。
【００４１】
上述のように、情報の設定項目を変更する際、第１ディスプレイ６に現在の設定項目（例えば、「年」桁）から他の設定項目（例えば、「月」桁）へ自動的に切り替わるまでの時間を表示しているので、利用者に他の設定項目へ自動的に切り替わるタイミングや、どのようにしたら他の設定項目へ自動的に切り替わるのかを容易かつ、直感的に把握させることができる。
【００４２】
また、自動的に切り替わるまでの時間に関連する表示として、バーグラフ４４を用いているので、利用者は、この設定モードでの動作、又は操作方法を容易かつ、直感的に把握することができる。更に、バーグラフ４４が時間とともに短くなり、最終的に消滅するようになっているので、第１ディスプレイ６上に自動的に切り替わる時期を示す目盛等を別に表示する必要が無い。
【００４３】
本実施形態では、自動的に切り替わるまでの時間に関連する表示としてバーグラフ４４を用いたが、数字であってもよい。これによれば、利用者は、切り替わるまでの時間を精確に把握することができる。更に、数字を時間とともに小さくなるようにすれば、利用者は、数字が時間とともに大きくなるように表示するものに比べ、自動的に切り替わる時間を容易かつ、直感的に把握することができる。
【００４４】
また、本実施形態では、情報の設定項目として、複数の設定項目が存在する場合について説明したが、この設定項目は、１つの場合でよい。また、設定項目を有する情報は、本実施形態のように時計、日付のように複数個でなくともよい。
【００４５】
本実施形態では、日付の設定項目である「年」桁・「月」桁・「日」桁を変更する例で説明したが、時計の設定項目である「時」桁・「分」桁を変更するときも上述と同じようにバーグラフ４４を表示するようにする。時計の設定項目を変更するときには、図４に示すようにディスプレイスイッチ１１を短押しし、表示状態を「時計設定」表示状態に切り替え、その表示状態のときに、ディスプレイスイッチ１１を長押しすることにより、時計の設定モードに切り替える。更に、ディスプレイスイッチ１１を短押しすることにより、「時」桁・「分」桁を変更する。
【００４６】
また、車両の表示装置に、上述のように設定モードにて他の設定項目に自動的に切り替わるまでの時間に関連する情報を表示することを採用することにより以下に示す別の格別な作用効果がある。
【００４７】
特に車両用のコンビネーションメータは、表面積のほとんどが表示装置で埋め尽くされ、本実施形態に示したようなスイッチを設置するスペースを確保することが困難である。したがって、コンビネーションメータ上に情報の設定項目用のスイッチを設けることは困難であり、コンビネーションメータ内に設置できるスイッチの数はおのずと限られてくる。また、他の場所に、例えば、ステアリングのスポークにスイッチを設置するとしても、スイッチを設置するスペースを確保することが困難であることに変わりない。
【００４８】
少ないスイッチ（１つのスイッチ）で、ディスプレイに表示される情報を切り替えたり、情報の設定項目を変更したりするといった複雑な作業を行うことは操作方法を知らない利用者にとっては、困難な作業である。
【００４９】
本実施形態に示すように、ディスプレイに情報の設定項目を変更する設定モードにて、設定項目が自動的に切り替わる時間に関連する情報を表示するだけで、利用者は、その情報を基に、いつ設定項目が自動的に切り替わるのか、どのようにしたら設定項目が切り替わるのかを容易にかつ、直感的に把握することができる。よって、スイッチを数多く設置できない特殊な事情がある車両内の表示装置にとって上述したような手段は非常に有効なものとなる。
【図面の簡単な説明】
【００５０】
【図１】本発明の車両用表示装置を備えたコンビネーションメータの正面図である。
【図２】本発明の車両用表示装置のシステム構成図である。
【図３】第１ディスプレイの通常モードでの表示状態の遷移を示す状態遷移図である。
【図４】第１ディスプレイの設定モードでの表示状態の遷移を示す状態遷移図である。
【図５】「日付設定」表示状態を示す第１ディスプレイ映像である。
【図６】（ａ）から（ｅ）は、「「年」桁設定」表示状態から「「月」桁設定」表示状態において、第１ディスプレイ表示の時間変化を示す図である。
【図７】本発明の車両用表示装置の他のシステム構成図である。
【符号の説明】
【００５１】
１        コンビネーションメータ
２        速度計
３        回転計
４        警告灯
５        方向指示表示
６        第１ディスプレイ（表示部）
７        第２ディスプレイ
８        燃料計
９        水温計
１０      シフトレバーポジションインジケータ
１１      ディスプレイスイッチ（入力部）
１２      オド／トリップスイッチ
２０      メータＥＣＵ（制御部）
３０      センサＥＣＵ
４０      日付（情報）
４１      「年」桁（情報の設定項目）
４２      「月」桁（情報の設定項目）
４３      「日」桁（情報の設定項目）
４４      バーグラフ（時間に関連する表示）
【図１】
2008094356.tif 000003
【図２】
2008094356.tif 000004
【図３】
2008094356.tif 000005
【図４】
2008094356.tif 000006
【図５】
2008094356.tif 000007
【図６】
2008094356.tif 000008
【図７】
2008094356.tif 000009